(57)【要約】      （修正有）【課題】結線作業の効率を向上させる。【解決手段】並列された複数のスリット端子３１をフレームにより保持するスリットハウジング３０において、前記スリット端子に結線される通信線の余長部分を切断するための切断刃２１を、前記スリット端子の片側に並列して配置させ、前記フレームにより保持させることにより上記課題を解決する。また、前記切断刃は、前記複数のスリット端子毎にそれぞれ設けられる。また、前記切断刃は、前記フレームに対して所定の位置で係止するための係止部２３を有する。【選択図】図２
0003107340.tif 000002
【実用新案登録請求の範囲】
【請求項１】
並列された複数のスリット端子をフレームにより保持するスリットハウジングにおいて、
前記スリット端子に結線される通信線の余長部分を切断するための切断刃を、前記スリット端子の片側に並列して配置させ、前記フレームにより保持させることを特徴とするスリットハウジング。
【請求項２】
前記切断刃は、
前記複数のスリット端子毎にそれぞれ設けられることを特徴とする請求項１に記載のスリットハウジング。
【請求項３】
前記切断刃は、
前記フレームに対して所定の位置で係止するための係止部を有することを特徴とする請求項１又は２に記載のスリットハウジング。
【請求項４】
請求項１乃至請求項３の何れか１項に記載のスリットハウジングと、
前記スリットハウジングが保持する並列された複数のスリット端子の各スリット端子に対して電気的に接続された保安素子とを有することを特徴とする通信機器用保安器サブモジュール。
【考案の詳細な説明】
【技術分野】
【０００１】
本考案は、スリットハウジング及び通信機器用保安器サブモジュールに係り、特に、結線作業の効率を向上させるためのスリットハウジング及び通信機器用保安器サブモジュールに関する。
【背景技術】
【０００２】
従来より、端子板への結線作業を容易にし、更に多くの通信線（ジャンパ線等の回線）が接続できる端子板が提案されている（例えば、特許文献１参照。）。特許文献１では、入回線接続用端子として用いられ並列された複数のＵスリット端子を内部に配置するＵスリットハウジングが設けられている。
【０００３】
このような構成において、通信線とＵスリット端子とを結線する場合には、一般に結線工具が用いられる。ここで、従来における結線工具を用いた結線作業について図を用いて説明する。
【０００４】
図１は、従来における結線工具を用いた結線作業の一例を示す図である。ここで、図１（ａ）の左側には、結線前のＵスリット端子の平面図及びＵスリットハウジングの断面図を示しており、図１（ａ）の右側には、結線工具に設けられる切断刃の平面図及び結線工具を示している。また、図１（ｂ）は、ジャンパ線をＵスリット端子に結線させた状態を図１（ａ）に対応させて示している。
【０００５】
まず、図１（ａ）に示すようにＵスリットハウジング１０のフレーム１１にＵスリット端子１２が並列して保持されており、Ｕスリット端子１２の溝部には、ジャンパ線１３の芯線を保護する被覆部により被覆された状態でセットされている。この状態から、結線工具１４を用いて結線を行う。
【０００６】
具体的には、結線工具１４には、押込部１５と、切断刃１６と、取手部１７とを有するように構成されている。結線作業員は、取手部１７を持ち、押込部１５の溝部１８がＵスリット１３の溝部に差し込まれるよう結線工具１４を押し込む。
【０００７】
これにより、図１（ｂ）に示すようにジャンパ線１３がＵスリット端子１２の溝部の奥に押し込まれ、ジャンパ線１３の芯線の保護する被覆部を剥ぐことにより結線される。また、ジャンパ線１３の余長部分は、結線工具１４の切断刃１６により切断される。これにより、結線作業が終了する。
【特許文献１】実用新案登録第３０９２１４９号公報
【考案の開示】
【考案が解決しようとする課題】
【０００８】
ところで、上述した結線工具に設けられたジャンパ線の余長部分を切断するための切断刃は、まず結線作業員が結線工具を押し込むによりジャンパ線をＵスリット端子に接続させた後、更に押し込む力を加えることにより余長部分を切断している。つまり、結線作業員は、結線する度に余長部分を切断するためのある程度の強い力を必要とする。
【０００９】
しかしながら、ＭＤＦ（Ｍａｉｎ  Ｄｉｓｔｒｉｂｕｔｉｏｎ  Ｆｒａｍｅ）等に代表される端子板や保安器等の結線作業は、高年齢者や作業初心者が行う場合もあり、その場合には上述したように結線時にある程度の強い力を必要とするため結線作業の効率が悪くなってしまう。また、結線作業の熟練者にとっても結線させる通信線の数も膨大であるため、長時間の作業に伴う疲労により作業効率が悪化したり、又は結線作業が雑になる可能性があり、結線ミスやＵスリットハウジングの破壊等の問題がある。
【００１０】
本考案は、上述した問題点に鑑みなされたものであり、作業効率を向上させるためのスリットハウジング及び通信機器用保安器サブモジュールを提供することを目的とする。
【課題を解決するための手段】
【００１１】
上記課題を解決するために、本件考案は、以下の特徴を有する課題を解決するための手段を採用している。
【００１２】
請求項１に記載された考案は、並列された複数のスリット端子をフレームにより保持するスリットハウジングにおいて、前記スリット端子に結線される通信線の余長部分を切断するための切断刃を、前記スリット端子の片側に並列して配置させ、前記フレームにより保持させることを特徴とする。
【００１３】
請求項１記載の考案によれば、ハウジングに通信線を接断するための切断刃を設けることにより、従来より小さい力で結線作業を行うことができる。これにより、結線作業の効率を向上させることができる。また、結線工具に切断刃を設ける必要がないので、結線工具のコストダウンを実現することもできる。
【００１４】
請求項２に記載された考案は、前記切断刃は、前記複数のスリット端子毎にそれぞれ設けられることを特徴とする。
【００１５】
請求項２記載の考案によれば、通信線の切断面から芯線が切断刃に接触した場合でも、他の通信線や端子等に影響を及ぼすことがない。
【００１６】
請求項３に記載された考案は、前記切断刃は、前記フレームに対して所定の位置で係止するための係止部を有することを特徴とする。
【００１７】
請求項３記載の考案によれば、容易な構成で確実に切断刃をスリットハウジングに係止することができる。
【００１８】
請求項４に記載された考案は、請求項１乃至請求項３の何れか１項に記載のスリットハウジングと、前記スリットハウジングが保持する並列された複数のスリット端子の各スリット端子に対して電気的に接続された保安素子とを有することを特徴とする。
【００１９】
請求項４記載の考案によれば、従来より小さな力で結線作業を行うことができる通信機器用保安器サブモジュールを提供することができる。これにより、結線作業の効率を向上させることができる。また、結線工具に切断刃を設ける必要がないので、結線工具のコストダウンを実現することもできる。
【考案の効果】
【００２０】
本考案によれば、結線作業の効率を向上させることができる。
【考案を実施するための最良の形態】
【００２１】
次に、本考案における実施の形態について図を用いて説明する。なお、本考案におけるスリットハウジングの一例としてダブルＵスリット端子を保持するスリットハウジングと、そのＵスリットハウジングを好適に適用した通信機器用保安器サブモジュールを説明する。
【００２２】
なお、本考案に適用可能な構成については上述した限りではなく、例えば、シングルＵスリット端子や他の結線用端子を設けたハウジングでもよく。更に、保安器サブモジュールに限らず、例えば上述した特許文献１に示す端子板についても同様に本考案を適用することができる。
【００２３】
図２乃至図４は、本考案のスリットハウジングを説明するための図であり、図５は、切断刃ユニットを説明するための図である。具体的には、図２は、本考案におけるスリットハウジングに組み込まれる切断刃を説明するための図である。なお、図２（ａ）は、切断刃及びスリットハウジングの正面図を示し、図２（ｂ）は、切断刃及びスリットハウジングの側面図を示している。
【００２４】
また、図３は、本考案における切断刃がハウジングに圧入された状態の一例を示す図である。なお、図３（ａ）は、切断刃が圧入されたスリットハウジングの正面図を示し、図３（ｂ）は、切断刃が圧入されたスリットハウジングの側面図を示している。
【００２５】
また、図４は、切断刃が圧入されたスリットハウジングの断面の一例を示す図である。なお、図４では、スリットハウジング３０に組み込まれる切断刃ユニット２０及びダブルＵスリット端子３１も示している。また、図２から図４に示すスリットハウジング３０には、並列された複数のダブルＵスリット端子３１がすでに組み込まれ保持されている。更に、図５は、切断刃ユニットの斜視図の一例を示す図である。
【００２６】
図２（ａ）に示すように、本考案の切断刃ユニット２０は、切断刃２１がスリット端子（ダブルＵスリット端子３１）に対応させた数（図２においては、１６個）を配列させている。
【００２７】
また、切断刃ユニット２０は、切断刃２１をスリットハウジング３０に組み込む際に、切断刃組込作業員が切断刃２１の組み込み作業を容易に行えるようにキャリア部２２を設けている。このキャリア部２２は、切断刃２１と接続されており、更に図２（ｂ）に示すようにスリットハウジング３０の外側に突出するように形成されている。
【００２８】
ここで、図２に示すように切断刃２１をスリットハウジング３０に圧入する際、切断刃組込作業員がキャリア部２２を持ってスリットハウジング３０に設けられたキャリア用溝部３２、切断刃挿入溝４３に挿入させることにより、複数の切断刃２１を同時にスリットハウジング３０の内部に容易に保持させることができると共に、図３に示すように切断刃２１をスリットハウジング３０の内部に格納し、キャリア部２２のみをスリットハウジング３０の外部に出させることができる。
【００２９】
更に、図２に示すように、切断刃２１にはスリットハウジング３０のフレームに組み込まれた個々の切断刃２１が外れることがないように、係止片（係止部）２３を有している。これにより、切断刃２１を容易にスリットハウジング３０に保持させることができ、圧入により保持された切断刃２１が外れることを防止することができる。
【００３０】
なお、図２及び図３に示すキャリア部２２は、配列された全てのダブルＵスリットに対応して設置される複数の切断刃２１を同時に圧入するためにキャリア部２２が連結されているが、本考案についてはこの限りではなく、例えば、切断刃毎に対応したキャリア部を有していてもよく、予め設定される数の切断刃に対応させて連結したキャリア部を設けてもよい。
【００３１】
また、図４に示すように切断刃２１が設置される位置は、並列に配置されるダブルＵスリット端子３１の片側に、ダブルＵスリット端子３１から所定の間隔を設けて配置される。具体的には、ジャンパ線４７が配設される方向からみて外側に配置される。
【００３２】
また、スリットハウジング３０のフレーム４１には、切断刃２１とを挿入するための切断刃挿入溝４３を有するよう形成されている。切断刃組込作業員は、切断刃ユニット２０を切断刃挿入溝４３から挿入し、切断刃２１が切断刃挿入溝４３の底部付近まで挿入されるように圧入する。ここで、切断刃２１の先端は、図４に示すようにダブルＵスリット端子３１の端子溝部４５よりも高い位置に位置決めされるように設置されてフレーム４１により保持される。
【００３３】
次に、スリットハウジング３０の外に出ているキャリア部２２を、矢印Ａ方向に対して力を加えることにより、フレーム４１により保持された切断刃２１と、キャリア部２２とが、図４、図５に示す切込み部４６から折り曲がり、切断刃２１とキャリア部２２とを容易に切断することができる。
【００３４】
また、係止片２３は、図５に示すように切断刃２１との設置位置から片の先端に行くほど外側に傾斜している。つまり、切断刃２１を切断刃挿入溝４３から圧入することで、係止片２３がフレーム４１を押し込むため、切断刃２１がフレーム４１により係止される。これにより、切断刃２１はフレーム４１によりスリットハウジング３０から外れることがなく保持される。
【００３５】
次に、上述したスリットハウジング３０にジャンパ線４７を結線する際には、結線作業員がジャンパ線４７をダブルＵスリット端子３１側から配設し、図１に示すような方法でジャンパ線４７を結線工具で圧入することにより、ジャンパ線４７がダブルＵスリット端子３１にて芯線の保護する被覆部を剥がされて結線される。
【００３６】
また、ジャンパ線４７は、結線されると同時に切断刃によって余長部分が切断される。これにより、ジャンパ線４７の余長部分の切断を容易に行うことができる。なお、結線時には、小さな力で結線することができることにより、結線作業の効率を向上させることができると共に、作業員の労力を軽減させ、結線ミスやスリット端子の故障を抑止することができる。
【００３７】
なお、上述した切断刃２１は、金属やセラミック等の材料を使用することができる。また、切断刃２１が金属から形成されている場合、ジャンパ線４７の切断面から芯線が切断刃２１に接触する可能性がある。しかしながら、上述したように各切断刃２１は、他の金属等の導通物質と接触されずにフレームにより保持されるため、他の通信線や端子等に影響を及ぼすことがない。
【００３８】
また、本考案における係止部は、上述した係止片２３に限らず、例えば、突起部を設けフレーム４１への圧入時にフレーム４１にくい込ませて保持させてもよい。
【００３９】
更に、上述した切断刃２１の刃先は水平に形成されているが、本考案についてはこの限りではなく、例えば、ジャンパ線が刃先に接触する部分に凹みが形成されていたり、切断可能な幅を設けたスリットが形成されていてもよい。
【００４０】
上述したように、スリットハウジング３０に切断刃２１を有することにより、従来より小さい力で結線を行うことができる。更に、結線工具に切断刃を設ける必要がないので、結線工具のコストダウンを実現することもできる。
【００４１】
また、上述したスリットハウジングは、通信機器用の端子板や保安器等に適用することができる。一般に、通信回線から侵入してくる過電圧・過電流が通信機器に流入することを防止するために、電話局内などに通信機器用保安器が設置されている。この通信機器用保安器は、保安器サブモジュールを多段積みにして組み立てたものである。
【００４２】
通信機器用保安器を構成する保安器サブモジュールは、入回線接続用端子として用いられスリットハウジング内に並列された複数のスリット端子と、各スリット端子に対して電気的に接続された保安素子と、保安素子と電気的に接続された交換機側の出回線接続用端子として交換機側コネクタとが搭載された２枚のプリント配線板とを備えている。また、２枚のプリント配線板の間に挟み込みジャンパ線を各入回線接続用端子に接続するときにジャンパ線を整線するための通線口ユニットを備えており、更に入回線接続用端子と出回線用接続端子間に設けられ接続端子間の接続/非接続の切替、又は信号の取り出しを行うため接触部とを有する試験弾器ユニットも備えているものがある。なお、接続端子間の接続/非接続の切替、又は信号の取り出しを必要としない場合、試験弾器ユニットを省いた構成の場合もある。
【００４３】
ここで、一例として本考案におけるスリットハウジングを適用した保安器サブモジュールについて図を用いて説明する。
【００４４】
図６は、本考案における保安器サブモジュールの正面図及びその各側面図の一例を示す図である。図６に示すように、保安器サブモジュール５０は、プリント配線板５１と、ダブルＵスリットハウジング（スリットハウジング）５２とを有するよう構成されており、プリント配線板５１に半田付けされ、ジャンパ線により通線口ユニット５３を通して入回線として接続されるものである。また、保安器サブモジュール５０は、プリンタ配線板５１等を保持するための外枠フレーム５４，５５と、交換機側へ接続される交換機側コネクタ５６と、保安素子５７と、試験弾器ユニット５８とを有するよう構成されている。なお、図６では、スリット端子としてダブルＵスリット端子が形成されているが、シングルＵスリット端子等でもよい。
【００４５】
ここで、ダブルＵスリットハウジング５２は、１６回線の各々に対応して並列された複数のダブルＵスリット端子５９を保持すると共に、切断刃６０を有するスリットハウジングである。つまり、図６に示すこの保安器サブモジュール５０は、８回線の２倍の１６回線の通信回線の接続が可能となっている。
【００４６】
また、通線口ユニット５３は、対となる二枚のプリント配線板５１の間にサンドウィッチ形に挟み込んだ状態で取り付けられており、ダブルＵスリット端子５９に接続するためのジャンパ線の整線を行うためのものである。
【００４７】
また、交換機側コネクタ５６は、交換機からのケーブル付コネクタの各々のケーブルが同一方向に配線された場合において、ケーブルが邪魔になり交換機側コネクタ５６とケーブル付コネクタとが嵌合できないことがないよう嵌合方向に対して所定間隔だけ位置をずらし、嵌合面が階段状になるように交換機側コネクタ５６−１，５６−２が並設されている。つまり、交換機側コネクタ５６−１，５６−２のそれぞれが８回線あるため合わせて１６回線を可能にしている。
【００４８】
また、保安素子５７は１６個のダブルＵスリット端子５２のそれぞれに対応して設けられており、例えば、双方向性ｐｎｐｎサージ防護デバイス、アバランシェダイオード、酸化亜鉛バリスタ等にて構成される。また、試験弾器ユニット５８は内部にあるＴＳバネは１６回線に対応している。そして、図６に示すＴＳバネの先端に対応して外枠フレーム５４に設けられた開口部６１から断線ペグや試験プラグ等を挿入することにより断線することができる。なお、上述したように保安器サブモジュールは、接続端子間の接続/非接続の切替、又は信号の取り出しを必要としない場合、試験弾器ユニットを省いた構成の場合もある。
【００４９】
このように、保安器サブモジュール５０において、通線口ユニット５３から整線されたジャンパ線がダブルＵスリットハウジング５２に配設される。次に、上述したようにダブルＵスリット端子５９により結線され、更に、ダブルＵスリットハウジング５２に設けられる切断刃６０により、余長部分を切断することができる。
【００５０】
上述したように本発明によれば、結線作業の効率を向上させることができる。具体的には、スリットハウジングに通信線を結線させるスリット端子だけでなく、結線された通信線を接断するための切断刃も設けることにより、従来より小さい力で結線作業を行うことができる。また、結線工具に切断刃を設ける必要がないため、結線工具のコストダウンを実現することもできる。
【００５１】
また、切断刃は、前記複数のスリット端子のスリット端子毎に設けられることにより、回線の切断面が切断刃に接触した場合でも、他の回線に影響させることがなく、他の端子と結線することがない。
【００５２】
また、切断刃は、前記切断刃を保持するためのフレームに対して所定の位置で係止するための係止部を有することにより、容易な構成で切断刃を係止することができる。
【００５３】
更に、通信機器用保安器サブモジュールにおいて、請求項１乃至請求項３の何れか１項に記載のスリットハウジングと、スリットハウジングが保持する並列された複数のスリット端子の各スリット端子に対して電気的に接続された保安素子と、前記スリット端子に電気的に接続され、断線ペグ，試験プラグ等を挿入して通信回線の切離し又は試験等を行う試験弾器ユニットとを有することにより、従来より小さい力で結線作業を行うことができる通信機器用保安器サブモジュールを提供することができる。これにより、結線作業の効率を向上させることができる。これにより、結線ミスやＵスリットハウジングの破壊等の問題も解消される。
【００５４】
以上、本考案の好ましい実施例について詳述したが、本考案は係る特定の実施形態に限定されるものではなく、実用新案登録請求の範囲に記載された本考案の要旨の範囲内において、種々の変形、変更が可能である。
【図面の簡単な説明】
【００５５】
【図１】従来における結線工具を用いた結線作業の一例を示す図である。
【図２】本考案におけるスリットハウジングに組み込まれる切断刃を説明するための図である。
【図３】本考案における切断刃がハウジングに圧入された状態の一例を示す図である。
【図４】切断刃が圧入されたスリットハウジングの断面の一例を示す図である。
【図５】切断刃ユニットの斜視図の一例を示す図である。
【図６】本考案における保安器サブモジュールの正面図及びその各側面図の一例を示す図である。
【符号の説明】
【００５６】
１０  Ｕスリットハウジング
１１，４１  フレーム
１２  Ｕスリット端子
１３，４７  ジャンパ線
１４  結線工具
１５  押込部
１６  切断刃
１７  取手部
１８  溝部
２０  切断刃ユニット
２１，６０  切断刃
２２  キャリア部
２３  係止片
３０  スリットハウジング
３１，５９  ダブルＵスリット端子
３２  キャリア用溝部
４３  切断刃挿入溝
４５  端子溝部
４６  切込み部
５０  保安器サブモジュール
５１  プリント配線板
５２  ダブルＵスリットハウジング（スリットハウジング）
５３  通線口ユニット
５４，５５  外枠フレーム
５６  交換機側コネクタ
５７  保安素子
５８  試験弾器ユニット
６１  開口部
【図１】
0003107340.tif 000003
【図２】
0003107340.tif 000004
【図３】
0003107340.tif 000005
【図４】
0003107340.tif 000006
【図５】
0003107340.tif 000007
【図６】
0003107340.tif 000008